(57)【特許請求の範囲】
【請求項１】
折版屋根材を梁材に固定する際に用いるタイトフレームであって、このタイトフレームの左右夫々の斜辺部に凹字状の切欠き孔を設け、この凹字状の切欠き孔のタイトフレーム頂部側を前記斜辺部の上部側から下部側に向かって徐々に膨出度合いが大きくなるように外方に向かって膨出させて下端に板片を有する外面が湾曲した半釣鐘形状の膨出部を設け、この膨出部下端の板片を、この板片の基端部から折曲部の外周面がＲ形状となるようにして下端縁を内側に向けて前記斜辺部の傾斜面に対して略直交するように折曲して前記折版屋根材の係止部が係止する板片状の係止受部を設け、前記タイトフレームに前記折版屋根材を嵌合係止した際に、前記係止受部の下側板面と前記折版屋根材の係止部の係止面との面同士が接触係合して、この折版屋根材の係止部が前記タイトフレームの斜辺部に設けた係止受部に引っ掛かり係止するように構成したことを特徴とするタイトフレーム。
【発明の詳細な説明】
【技術分野】
【０００１】
折版屋根材を梁材に固定する際に用いるタイトフレームに関するものである。
【背景技術】
【０００２】
従来、嵌合タイプのタイトフレームは、特許文献１，２に示すような、タイトフレームの斜辺部途中に先端部を外方且つ下方に向けて突出する係止受部を設けて、タイトフレームの上方から折版屋根材を被嵌した際に、この係止受部に折版屋根材の傾斜部内面に設けた係止部が引っ掛かり係止して、この折版屋根材がタイトフレームに被嵌固定されるように構成しているものが多い。
【０００３】
また、このタイトフレームに被嵌し固定される折版屋根材は、一般的には、１ｍｍ前後の厚さの薄い金属板材を凹凸形状に形成したもので、また、この折版屋根材は、折版屋根材同士の端部を重ね合わせながらタイトフレームに敷設状態に取り付け固定するように構成されている。
【先行技術文献】
【特許文献】
【０００４】
【特許文献１】特開平１１−３０３３２８号公報
【特許文献２】特開２００９−１７４２５０号公報
【発明の概要】
【発明が解決しようとする課題】
【０００５】
ところで、これら従来のタイトフレームに設けられる係止受部と折版屋根材の係止部との係合状態は、タイトフレームの係止受部の下端縁に折版屋根材の係止部の係止面が当接するものであり、タイトフレームの係止受部の下端縁は、角張っていたりタイトフレームから切り起こした際の切断面のままで先鋭な状態となっていることが多く、そのため、この下端縁と当接する折版屋根材の係止面には、取り付け作業時に係止受部の下端縁によってキズが付けられることが多かった。
【０００６】
また更に、この折版屋根材は、金属製であるため、温度（気温）の変化によって体積が膨張したり収縮したりするので、この膨張収縮によって長さも伸縮する性質があり、この折版屋根材の伸縮作用によって、タイトフレームの係止受部に当接している折版屋根材の係止部の係止面が移動することで、設置後も多くのキズが付き、これら取り付け時のキズや取り付け後の折版屋根材の伸縮作用によって繰り返しキズが付けられることで、厚さの薄い折版屋根材が局所的に一層薄くなってしまい、折版屋根材の耐久性を低下してしまうという問題があった。
【０００７】
本発明は、従来のタイトフレームにおける上述の問題を解決し、タイトフレームの係止受部を、折版屋根材の係止面に対してキズを付け難い形状に構成し、折版屋根材を取り付ける際や取り付けた後にもこの折版屋根材の係止面にキズを付けることがなく、折版屋根材の耐久性を損ねることがない画期的なタイトフレームを提供することを目的とする。
【課題を解決するための手段】
【０００８】
添付図面を参照して本発明の要旨を説明する。
【０００９】
折版屋根材１を梁材に固定する際に用いるタイトフレーム２であって、このタイトフレーム２の左右夫々の斜辺部３に凹字状の切欠き孔４を設け、この凹字状の切欠き孔４のタイトフレーム頂部５側を前記斜辺部３の上部側から下部側に向かって徐々に膨出度合いが大きくなるように外方に向かって膨出させて下端に板片を有する外面が湾曲した半釣鐘形状の膨出部６を設け、この膨出部６下端の板片を、この板片の基端部から折曲部９の外周面がＲ形状となるようにして下端縁を内側に向けて前記斜辺部３の傾斜面３ａに対して略直交するように折曲して前記折版屋根材１の係止部７が係止する板片状の係止受部８を設け、前記タイトフレーム２に前記折版屋根材１を嵌合係止した際に、前記係止受部８の下側板面８ａと前記折版屋根材１の係止部７の係止面７ａとの面同士が接触係合して、この折版屋根材１の係止部７が前記タイトフレーム２の斜辺部３に設けた係止受部８に引っ掛かり係止するように構成したことを特徴とするタイトフレームに係るものである。
【発明の効果】
【００１０】
本発明は上述のように構成したから、タイトフレームに折版屋根材を取り付ける際や取り付けた後に、この折版屋根材に係止受部によるキズが付かないので、折版屋根材の耐久性を低下させることがない、実用性に優れた画期的なタイトフレームとなる。
【００１１】
即ち、従来のタイトフレームは、折版屋根材の係止部の係止面と点接触、若しくは線接触であることに対して、本発明の係止受部は、係止部の下側板面が折版屋根材の係止部の係止面と面接触する構成としているので、従来のように先鋭な切削面が当接するのではなく、滑らかで平坦な面同士が当接し合うことで従来に比して折版屋根材の耐久性を損ねるようなキズを付けるようなことはなくなる。
【００１２】
しかも、折版屋根材の係止部をタイトフレームの係止受部の下側板面が受け止める、即ち、面を面で受け止める面接触構成としたので、従来の嵌合強度（係止強度）に比して、より強固に嵌合（係止）することができ、強風などによって折版屋根材が剥離方向に吹き上げられても、この折版屋根材がタイトフレームから容易に脱離することなく、係止状態が強固に保持される実用性に優れたタイトフレームとなり、更に、面接触としたことで接触圧が分散され、点接触や線接触に比して接触圧が軽減されることで、より一層キズが付き難くなる。
【００１３】
従って、タイトフレームに折版屋根材を取り付ける際や、タイトフレームに折版屋根材を取り付けた後も、折版屋根材の係止面にキズが付くことが殆どないので、このキズによって折版屋根材の耐久性が低下することがなく、また、キズが原因で折版屋根材が錆びてしまい耐久性どころか体裁を損ねてしまうという不具合が生じることがない実用性に優れた画期的なタイトフレームとなる。
【００１４】
また、本発明は、折版屋根材をタイトフレームに取り付ける際に、この折版屋根材をタイトフレームの係止受部に滑らかに嵌合することができるので、より一層折版屋根材の係止部の係止面にキズが付き難くなる実用性に優れたタイトフレームとなる。
【００１５】
また、更に本発明は、折版屋根材の剥離方向の力を正面から受けることで膨出部による強度の向上の効果がより一層発揮されることとなり、折版屋根材から強い力を受けても係止受部が変形して捲れあがったり、破損したりせずに強固に折版屋根材を受け止めることができる耐久性に優れたタイトフレームとなる。
【００１６】
また、本発明は、タイトフレームの上方から折版屋根材を被嵌し下方に押し込むことで、折版屋根材が膨出部の下端側で外形状に沿って広げられて押し込まれ、この膨出部の下端を乗り越えたところで折版屋根材の戻り付勢によって、この折版屋根材の係止部がタイトフレームの係止受部と強固に嵌合して引っ掛かり係止状態となって固定されるので、一々、折版屋根材を広げながらタイトフレームに押し嵌めるといった煩わしい作業をする必要がなく、更に、膨出部の下端側の膨出度合いを大きくしたので、係止面積を大きく設定することができ、よって、折版屋根材の係止部がタイトフレームの係止受部から脱離し難くなるので、折版屋根材をタイトフレームに、スムーズ、且つワンタッチで取り付けることができるとともに、強固に折版屋根材をタイトフレームに取り付け固定することができる作業性且つ実用性に優れたタイトフレームとなる。
【図面の簡単な説明】
【００１７】
【図１】本実施例を示す斜視図である。
【図２】本実施例の折版屋根材支持部を示す斜視図である。
【図３】本実施例の膨出部形成前の斜辺部を示す正面図及び断面図である。
【図４】本実施例の膨出部形成後の斜辺部を示す正面図及び断面図である。
【図５】本実施例に折版屋根材を取り付ける際の状態を示す説明図である。
【図６】図５の（ｂ）の要部を拡大した正面図である。
【図７】図５の（ｃ）の要部を拡大した正面図である。
【発明を実施するための形態】
【００１８】
好適と考える本発明の実施形態を、図面に基づいて本発明の作用を示して簡単に説明する。
【００１９】
本発明のタイトフレーム２に折版屋根材１を被嵌した際に、このタイトフレーム２の斜辺部３に設けた板片状の係止受部８の下側板面８ａと、折版屋根材１の係止部７の係止面７ａとが面同士で当接し合うので、折版屋根材１の係止面７ａにキズが付くことが殆どなくなることとなる。
【００２０】
即ち、従来のタイトフレームは、タイトフレームの斜辺部に外方且つ下向きに突設した板片状の係止受部の下端面或いは下端縁が折版屋根材１の係止面７ａに当接する構成となっており、この折版屋根材１の係止面７ａと当接する係止受部は、タイトフレームの斜辺部を切り起こして形成したものが多く、よって、係止受部の下端面（下端縁）は、斜辺部を切り欠いた際の切削面の縁部が先鋭な状態のままであったり、板片の端面ということで接触面が非常に狭小な面積となり応力が集中してしまうため、よりキズを付け易い状態となっている。
【００２１】
また、このようなキズを付けないために係止受部の折版屋根材１の係止面７ａとの当接部を、キズを付け難い形状に処理するには手間がかかり、その分、コストアップにつながり、安価に製品を提供できなくなるため、殆どのタイトフレームでは、このような係止受部の切削面の処理は十分に行われることがない
これに対して、本発明は、係止受部８の下端面（下端縁）を当接させるのではなく、内側に折曲して外側板面であった面を下側板面８ａとなるように構成し、この下側板面８ａが従来の係止受部の下端面となることで、切り欠き面が当接することがなく、しかも、接触面積が従来に比して広大となり応力が分散されるので、より一層キズが付き難い状態に構成している。
【００２２】
即ち、従来の係止受部は、折版屋根材１の係止面７ａと点接触、若しくは線接触であることに対して、本発明の係止受部８は、折版屋根材１の係止面７ａと面接触としているので、この滑らかで平坦な面同士が当接し合うこと、更には、接触圧も分散されることで嵌合時にキズが付き難い構成となり、よって、タイトフレーム２に折版屋根材１を取り付ける際や、タイトフレーム２に折版屋根材１を取り付けた後も、折版屋根材１の係止面７ａにキズが付くことが殆どないので、このキズによって折版屋根材１の耐久性が低下することがなく、また、キズが原因で折版屋根材１が錆びてしまい耐久性どころか体裁を損ねてしまうという不具合が生じることがない実用性に優れた画期的なタイトフレームとなる。
【００２３】
また更に、この折版屋根材の係止部とタイトフレームの係止受部とを面接触としたことで、嵌合強度（係止強度）も向上し、より強固に折版屋根材１をタイトフレーム２に固定し得ることが可能となる。
【００２４】
また、このタイトフレーム２に被嵌した折版屋根材１は、例えば、強風などによって剥離方向の強い力を受けることがあり、この際、この折版屋根材１の剥離方向の強大な力をタイトフレーム２の係止受部８が受け止めることで折版屋根材１が剥離し飛ばされることを防いでいる。よって、この係止受部８が折版屋根材１から押圧された際に容易に変形したり破損してしまっては、折版屋根材１を強固に保持することはできないので、よって、この係止受部８は、強風などによって折版屋根材１が受ける強大な力を受け止めるだけの強度（耐久性）が必要であり、本発明は、この点、折版屋根材１の係止部７を受け止める係止受部８を面で受け止める構成とし、尚且つ、タイトフレーム２の斜辺部３を膨出させてタイトフレーム２と一体成形されている膨出部６とこの係止受部８を一体成形してこの係止受部８が受ける力を膨出部６で受け止める構成としたので、強固な力を受けても係止受部８が捲れあがったり破損してタイトフレーム２から離脱してしまうことがなく極めて強固に折版屋根材１を係止することが可能な耐久性に優れたタイトフレームとなる。
【実施例】
【００２５】
本発明の具体的な実施例について図面に基づいて説明する。
【００２６】
本実施例は、折版屋根材１を梁材に固定する際に用いるタイトフレームに係るものである。
【００２７】
また、本実施例のタイトフレーム２は、金属製の帯板材を折曲して形成した折版屋根材１を支持する折版屋根材支持部10と、このタイトフレーム２を梁材上に載置固定する載置固定部11とからなり、また、本実施例は、図１に示すように、この折版屋根材支持部10を二つ設けた二山タイプのタイトフレーム２に構成している。
【００２８】
本実施例を具体的に説明すると、折版屋根材１を支持する折版屋根材支持部10は、図２に示すように、台形状に形成した構成とし、この台形の上底に相当するタイトフレーム頂部５と、斜辺に相当する斜辺部３とを折曲による一体成形した構成としている。
【００２９】
より具体的には、台形状の折版屋根材支持部10の左右夫々の斜辺部３に凹字状の切欠き孔４を設け、この凹字状の切欠き孔４のタイトフレーム頂部５側を膨出させて下端に板片を有する膨出部６を設け、この膨出部６下端の板片を、下端縁を内側に向けて折曲して折版屋根材１の係止部７と係止する板片状の係止受部８を設けた構成としている。
【００３０】
更に詳しく説明すると、左右の斜辺部３に設けた切欠き孔４は、斜辺部３の長手方向略中央付近の傾斜面３ａを、プレス機などを用いてＣ字状、Ｕ字状、若しくはコ字状などの凹字状に打ち抜いて穿設し、本実施例では、この凹字状の切欠き孔４を穿孔したことで、図３に示すように、凹字状の切欠き孔４の内側、即ち、切欠き孔４の凹部に位置するところに斜辺部３の傾斜面３ａの一部の板片が突出状態に設けられるように構成している。
【００３１】
また、図４に示すように、この凹字状の切欠き孔４の上端縁を含むようにこの切欠き孔４の上部側を斜辺部３の内面側から押出し外方に向かって膨出させて、この斜辺部３に膨出部６を設けた構成としている。
【００３２】
本実施例では、この膨出部６を斜辺部３の上部側から下部側に向かって徐々に膨出度合いが大きくなる錐体状に形成した構成とし、より具体的には、釣鐘を縦方向に半分に割った際の半体の形状のごとく形成し、外面を滑らかな弯曲形状に形成した構成としている。
【００３３】
また、このように構成した膨出部６の下端には、上述した切欠き孔４を設けたことで形成された板片が下端を下方に向けて突設しており、この板片の下端を内側に向けて折曲して板片状の係止受部８を設けた構成とし、この係止受部８は、タイトフレーム２に折版屋根材１を嵌合係止した際に、この板片状係止受部８の下側板面８ａと折版屋根材１の係止部７の係止面７ａとが係合して、この折版屋根材１の係止部７がこの係止受部８に引っ掛かり係止するように構成している。
【００３４】
尚、この膨出部６の形状は、上記に示す形状に限らず、この膨出部６の強度を損ねず、また、折版屋根材１をスムーズに被嵌し得る形状であれば適宜採用するものとする。
【００３５】
また、この係止受部８は、具体的には、膨出部６の下端から下方に向かって突出した板片を、この板片の基端部から内側方向に折曲し、この板片状係止受部８の板面と斜辺部３の傾斜面３ａとの成す角度が略直角となるように構成し、更に、この折曲部９の外周面が角張らずにＲ形状となるように構成している。
【００３６】
即ち、本実施例の係止受部８は、係止受部８の下側板面８ａが折版屋根材１の係止部７の係止面７ａと面接触により嵌合し、従来のタイトフレームの係止受部のように点接触や線接触での嵌合ではないので、従来に比し、より嵌合強度（係止強度）を向上した構成とし、しかも、本実施例の係止受部８は、斜辺部３を打ち出して膨出させて形成した膨出部６の下端に設けた構成とし、更に、この膨出部６と係止受部８とは、もともと、斜辺部３の傾斜面３ａの一部であり、よって、これらは一体成形されているので、この係止受部８が折版屋根材１から受ける力、例えば、強風などによって折版屋根材１が剥離方向に吹き上げられた際に生じる押圧力を膨出部６で強固に受け止める構成としている。
【００３７】
よって、本実施例の係止受部８は、従来のタイトフレームの係止受部に比して、極めて嵌合強度に優れた係止受部８に構成している。
【００３８】
また、本実施例のタイトフレーム２は、折版屋根材１を支持する際の耐久性を向上させるため、折版屋根材支持部10の強度を向上した構成としている。
【００３９】
具体的には、図２に示すように、タイトフレーム頂部５と左右の斜辺部３との前後方向（帯板材の短手方向）の端部に補強縁部12を設けた構成とし、より具体的には、この補強縁部12は、タイトフレーム頂部５及び左右の斜辺部３の前後端縁を内側方向に直角に折曲して形成して、折版屋根材支持部10を断面コ字状に形成した構成としている。
【００４０】
以上のように構成した本実施例のタイトフレーム２に、折版屋根材１を取り付ける際は、図５（ａ）に示すように、最初に取り付けた折版屋根材１の端部と新たに取り付ける折版屋根材１の端部同士が重なるように、具体的には、折版屋根材１に設けてあるハゼ嵌合部13同士を嵌合するようにして、タイトフレーム２の上方から折版屋根材１を被嵌する。
【００４１】
この被嵌した折版屋根材１を下方に押し込んで行くと、図５（ｂ）並びに図６に示すように、タイトフレーム２の斜辺部３に設けた半釣鐘形状に形成した膨出部６に折版屋根材１の内面が当接して折版屋根材１が左右方向に押し広げられる。
【００４２】
この折版屋根材１が左右に押し広げられた状態で、更に下方に押し込むことで、図５（ｃ）並びに図７に示すように、折版屋根材１の内面当接部がこの膨出部６を乗り越え、折版屋根材１の内面に設けられている係止部７の係止面７ａが、タイトフレーム２の係止受部８の下側板面８ａと面接触状態で嵌合することとなる。
【００４３】
最後に、図５（ｄ）に示すように、折版屋根材１の嵌合したハゼ嵌合部13を締め付けて、折版屋根材１同士を連結固定することで取り付けが完了する。
【００４４】
このように、本実施例のタイトフレーム２を用いて折版屋根材１を取り付ける際は、折版屋根材１をタイトフレーム２に押し込んで被嵌するだけのワンタッチ作業で容易に取り付けることができるように構成している。
【００４５】
本実施例は、以上のように構成したので、以下のような作用効果を奏する。
【００４６】
本実施例は、膨出部６下端から突出している係止受部８を内側に折曲して、この係止受部８の下側板面８ａが折版屋根材１の係止部７の係止面７ａと嵌合するように構成したので、従来の係止受部は、折版屋根材１の係止面７ａと点接触、若しくは線接触であることに対して、本実施例の係止受部８は、折版屋根材１の係止面７ａと面接触としているので、この滑らかで平坦な面同士が当接し合うこと、更には、接触圧も分散されることで係止時にキズが付き難い構成となり、よって、タイトフレーム２に折版屋根材１を取り付ける際に、折版屋根材１の係止面７ａにキズが付くことが殆どないので、折版屋根材１の耐久性が低下することを可及的に低減することができる。
【００４７】
また、本実施例は、膨出部６を斜辺部３の上部側から下部側に向かって徐々に膨出度合いが大きくなる錐体状に形成した構成としたので、タイトフレーム２の上方から折版屋根材１を被嵌し下方に押し込むことで、折版屋根材１が膨出部６の下端側で外形状に沿って広げられて押し込まれ、この膨出部６の下端を乗り越えたところで折版屋根材１の戻り付勢によって、この折版屋根材１の係止部７がタイトフレーム２の係止受部８と強固に嵌合して引っ掛かり係止状態となって固定されるので、一々、折版屋根材１を広げながらタイトフレーム２に押し嵌めるといった煩わしい作業をする必要がなく、更に、膨出部６の下端側の膨出度合いを大きくしたので、係止面積を大きく設定することができ、よって、折版屋根材１の係止部７がタイトフレーム２の係止受部８から脱離し難くなるので、折版屋根材１をタイトフレーム２に、スムーズ、且つワンタッチで取り付けることができるとともに、強固に折版屋根材１をタイトフレーム２に取り付け固定することができる作業性且つ実用性に優れたタイトフレームとなる。
【００４８】
また更に、本実施例は、折版屋根材１の内面が当接する膨出部６の外面や、膨出部６から係止受部８に掛かる折曲部９を滑らかな弯曲形状（Ｒ形状）に形成した構成としたので、折版屋根材１を押し込んでタイトフレーム２に被嵌する際に、折版屋根材１をより一層スムーズに押し込むことができ、しかも、押し込み移動させている折版屋根材１の内面にも、ほとんどキズが付かない画期的なタイトフレームとなる。
【００４９】
尚、本発明は、本実施例に限られるものではなく、各構成要件の具体的構成は適宜設計し得るものである。
【符号の説明】
【００５０】
１  折版屋根材
２  タイトフレーム
３  斜辺部
３ａ 傾斜面
４  切欠き孔
５  タイトフレーム頂部
６  膨出部
７  係止部
７ａ  係止面
８  係止受部
８ａ  下側板面
９  折曲部
【図１】
0005462839.tif 000002
【図２】
0005462839.tif 000003
【図３】
0005462839.tif 000004
【図４】
0005462839.tif 000005
【図５】
0005462839.tif 000006
【図６】
0005462839.tif 000007
【図７】
0005462839.tif 000008